(57)【特許請求の範囲】
【請求項１】
上箱部と下箱部とで構成され、内部に遊技機の制御基板を収容した制御基板ボックスであって、
前記制御基板ボックスの内部に、前記制御基板に装着された電子部品の離脱方向への移動を規制する移動規制部を設け、
前記移動規制部は、
前記下箱部の底壁から突出する複数の突起部に対応して形成された複数のスリットを有する支持部と、
一方が前記支持部に結合される一対の側壁部および該一対の側壁部を互いに連結する結合部を有する規制部と、で構成され、
前記電子部品が前記一対の側壁部間であって前記規制部の下方に位置するように、前記支持部の前記スリットを前記複数の突起部のうち任意の突起部に嵌合することで、前記一対の側壁部の最下端が前記制御基板に接するとともに、前記一対の側壁部及び前記結合部により、前記電子部品の離脱方向への移動を規制することを特徴とする制御基板ボックス。
【請求項２】
前記結合部は、前記スリットが前記突起部に嵌合された状態において、最下端が前記電子部品の表面に接することを特徴とする請求項１記載の制御基板ボックス。
【請求項３】
前記一対の側壁部の上部には、山形の突状部位が形成され、
前記結合部は、前記一対の側壁部の各々の前記突状部位を連結することを特徴とする請求項２に記載の制御基板ボックス。
【発明の詳細な説明】
【０００１】
【発明の属する技術分野】
本発明は、弾球遊技機や回胴式遊技機等の遊技機の技術分野に属し、詳しくはその遊技機の制御基板を収容する制御基板ボックスに関する。
【０００２】
【従来の技術】
パチンコ機等の弾球遊技機においては、例えば、大当たりの判定を行ったり大入賞装置の開閉を制御するための制御基板（制御装置と呼ばれることもある）が備えられている。この制御基板の本質はマイクロコンピュ−タであって、その動作はリード・オンリー・メモリ（以下、ＲＯＭともいう）に格納されているプログラムに従っている。つまり、プログラムを変更すれば大当たりの発生や大入賞装置の開放を任意に操作できるわけで、そうしたプログラムの改変により不当な利得を図ることも皆無ではなかった。このプログラムの改変は、実際には改変したプログラムを格納するＲＯＭ或いはそのようなＲＯＭを含むワンチップマイコンを正規のものと交換することによって行われていた。また、ときには制御基板に不正な部品（IC等）を追加装着したり配線を改変する等の行為も行われていた。なお、このような不正なＲＯＭ交換、部品の追加、配線の改変等は、弾球遊技機に限られるわけではなく、回胴式遊技機（スロットマシン）等でも行われていた。
【０００３】
こうした制御基板の不正な改造を防止するために、これを収容する制御基板ボックスを開放した場合にはその形跡が残る構造とする等、様々な対策が講じられてきた。最近ではＲＯＭの交換、部品の追加、配線の改変等の有無を目視で調べることが可能なように、制御基板を収容する制御基板ボックスを透明なプラスチック製にすることも行われている。
【０００４】
【発明が解決しようとする課題】
しかしながら、それでもなお制御基板ボックスを開放することなしに不正なＲＯＭ交換が巧妙に行われるおそれがあり、いまだ不正改造に対する対策は不十分である。
【０００５】
そこで、請求項記載の発明は、ＲＯＭ等の電子部品の不正交換を防止することを課題とする。
【０００６】
【課題を解決するための手段】
上記課題に鑑み、請求項１記載の発明はなされたものであり、上箱部と下箱部とで構成され、内部に遊技機の制御基板を収容した制御基板ボックスであって、前記制御基板ボックスの内部に、前記制御基板に装着された電子部品の離脱方向への移動を規制する移動規制部を設け、前記移動規制部は、前記下箱部の底壁から突出する複数の突起部に対応して形成された複数のスリットを有する支持部と、一方が前記支持部に結合される一対の側壁部および該一対の側壁部を互いに連結する結合部を有する規制部と、で構成され、前記電子部品が前記一対の側壁部間であって前記規制部の下方に位置するように、前記支持部の前記スリットを前記複数の突起部のうち任意の突起部に嵌合することで、前記一対の側壁部の最下端が前記制御基板に接するとともに、前記一対の側壁部及び前記結合部により、前記電子部品の離脱方向への移動を規制することを特徴とする制御基板ボックスである。電子部品を搭載した制御基板を収容すると、制御基板ボックスに設けられた移動規制部が、この電子部品を制御基板から離脱させることを阻止するように形成されているので、電子部品を制御基板から移動させることは困難となる。従って、電子部品を交換する不正を防止することができる。例えば、移動規制部が電子部品と対峙した状態を呈する態様が挙げられ、より具体的には、前記電子部品の対峙面と前記移動規制部の対峙面との間隔は、ゼロ、或いは、前記電子部品が前記制御基板から離脱するに必要な最小間隔よりも小さく設定された態様が例示できる。
請求項２記載の発明は、前記結合部は、前記スリットが前記突起部に嵌合された状態において、最下端が前記電子部品の表面に接することを特徴とする請求項１記載の制御基板ボックスである。
請求項３記載の発明は、前記一対の側壁部の上部には、山形の突状部位が形成され、前記結合部は、前記一対の側壁部の各々の前記突状部位を連結することを特徴とする請求項２に記載の制御基板ボックスである。
【０００７】
請求項１〜３記載の発明によれば、電子部品のサイズが変更されても、そのサイズに対応した形状を呈する移動規制部を配設することができ、また、制御基板に搭載された電子部品の配置が変更されても、その配置に応じて移動規制部を配設することも可能となり、自由度が増す。
【０００８】
前記電子部品は、少なくともセントラル・プロセシング・ユニット（以下、ＣＰＵと略記する）とリード・オンリー・メモリとを備えた一体型電子部品でもよい。一体型電子部品を搭載した制御基板を収容すると、制御基板ボックスに設けられた移動規制部が、一体型電子部品を制御基板から離脱させることを阻止する方向において作用するので、一体型電子部品を制御基板から移動させることは困難となる。従って、一体型電子部品を交換する不正を防止することができる。この一体型電子部品は、偽造・改造には手間や費用をかなり要するので、これを搭載することにより一層確実に不正を防止でき、よって、遊技機の不正操作もされにくくなり、また、前記移動規制部の構造の簡略化も可能となる。
【０００９】
【発明の実施の形態】
まず本発明の様々な実施形態の制御基板ボックスの構造を図１〜図１５を参照して説明する。なお、実施形態の制御基板ボックスが適用されるいわゆるフィーバー機とも呼ばれるタイプの第１種パチンコ機７０１については図１６〜図１９を参照して後述する。
【００１０】
[第１実施形態]
図１に示す主制御基板１は、パチンコ機７０１（図１６参照）の第１種始動口（普通電動役物）７４１（図１７参照）への遊技球の入賞をきっかけとして大当たりの判定を行ったり、特別図柄表示装置７３３（図１７参照）への表示制御、大入賞口開閉シャッタ７３９（図１７参照）の開閉制御等を実行するものである。また、主制御基板１には、配線パターン（図示略）がプリントされ、ＣＰＵ２、ＲＯＭ３、ＲＡＭ４等の電子デバイス、抵抗器５、コンデンサ６、ヒートシンク付電子部品７等の様々な電気部品が実装されている。また、パチンコ機７０１の各部に設置されている中継基板８２３、枠制御基板８５０（図１８及び図１９参照）、特別図柄制御基板８６０等（図１９参照）と接続するための複数のコネクタ１０ａ〜１０ｈが取付けられている。また、主制御基板１の一隅の裏面には、コーナー電極１２が設けられている。このコ−ナー電極１２は、配線パタ−ンの一部とされている対地アース用のプリント配線（図示略）に接続されており、対地ア−ス用のプリント配線はコネクタ１０ａ〜１０ｈの対地アース用端子（図示略）に接続されている。
【００１１】
この主制御基板１を収容する制御基板ボックス１４は、透明なプラスチック製で、図７に示す通り、上箱部１６と、下箱部１８とから構成されている。制御基板ボックス１４を閉じて、パチンコ機７０１に取付けた際には、下箱部１８がパチンコ機７０１の本体側になる（図１８参照）。なお、必要により、前記のコネクタ１０ａ〜１０ｈの接続を案内するコネクタガイド（図示略）が取付けられることがある。
【００１２】
図３に示す通り、上箱部１６には、前述のコネクタ１０ａ〜１０ｈに対応させて、矩形のコネクタ通過孔２０ａ〜２０ｈが設けられており、各コネクタ１０ａ〜１０ｈは対応するコネクタ通過孔２０a〜２０hを貫通して露出されるようになっている。また、図２に示す通り、上箱部１６には、多数の通気孔２１（図２にのみ図示）が設けられている。さらに、上箱部１６の側面には、筒状の複数のビス通２２を備えたビス通連設部２３が上箱部１６の前方、左右の３箇所に設けられている。各ビス通２２は、それぞれ一対のアーム２４を介して上箱部１６の本体２５に連結されている。これらのアーム２４は、例えば、ビス通２２と本体２５との間にドライバのようなものを差し込んで力を加えると、比較的たやすく破壊できるようになっている。
【００１３】
図５に示す通り、下箱部１８の側面２６には、制御基板ボックス１４をパチンコ機７０１に装着するための取付ピン２７が横設され、また、ビス通２２に対応するビス受２８が設けられたビス受連設部２９が配設されている。これらビス受連設部２９は、ビス通連設部２３と協働して連結装置５３（図８参照）を構成する。
【００１４】
上箱部１６には、図４（ａ），（ｂ）に示す通り、主制御基板１に装着されたＲＯＭ３の離脱方向（本実施形態では垂直上方向）への移動を規制する移動規制部３０が固定されて設けられている。すなわち、この移動規制部３０は、図２、図７、図８に示す通り、上箱部１６のみに形成され、かつ、図４（ａ），（ｂ）に示す通り、ＲＯＭ３の主制御基板１における装着位置に対峙して存在するものである。ＲＯＭ３は、ＲＯＭコネクタ９に着脱自在に実装されている。
移動規制部３０は、上箱部１６の一部に凹みを設けることにより、形成されたものである。すなわち、移動規制部３０は、角筒状の傾斜した側壁３１と、この側壁３１の下端部に連続する水平壁３２とからなっている。なお、側壁３１は下方に向かって縮径されているが、同径のもの、或いは、拡径されたものでもよいし、横断面形状は丸型、角型等、その形態は適宜採択できる。
そして、図４（ｂ）に示す通り、水平壁３２の先端面３３と、ＲＯＭ３の表面３４との空隙３７の距離Ｂが、ＲＯＭ３のピン３５のうち、ＲＯＭコネクタ９に差込まれた部分の脚長Ａよりも小さく設定されている。こうした関係とすることにより、ＲＯＭ３を主制御基板１から離脱させることを困難とするのである。なお、移動規制部３０の先端面３３をＲＯＭ３の表面３４に接触させるように形成してもよい。このようにすることにより、ＲＯＭ３が完全に上から押さえられている状態を呈するので、主制御基板１から全く移動させることができなくなる。
【００１５】
なお、移動規制部３０の水平壁３２周辺に、ＲＯＭ３の表面から出る熱を放熱拡散させるための孔部を、不正不可能を条件として、設けてもよい。具体的には、こうして形成された孔部に、棒状体等の不正道具の侵入を防止するべく、孔部の孔径や孔部の配置、孔部の数等を考慮して配設することを条件とする。
【００１６】
さらに、図５、図６に示す通り、側面２６の内側には、全体がプラスチック製のために強度が充分と言えない下箱部１８、特に、側面２６を補強するステンレス板４７が貼られている。ステンレス板４７には、下箱部１８の四隅に対応して、有孔の爪４９が設けられ、各爪４９に対応する位置にビス受５１が設けられている。ステンレス板４７には、下箱部１８の底壁１９に沿って延出された舌部４８が設けられ、その舌部４８と連続し、底壁１９に沿って導電性フィルム６２が貼られている。舌部４８と導電性フィルム６２は、底壁１９とフィルム押５０とによって挟持されている。図６に示す通り、フィルム押５０は、舌部４８に重なる部分が凸となっている他は、ほぼ下箱部１８の内周形状に沿った形状で、底壁１９に対してほぼ垂直となる垂直シート５２と底壁１９にほぼ平行となる水平シート５４とからなり、水平シート５４の内側には窓５６が形成されている。この窓５６に導電性フィルム６２が露呈している。また、垂直シート５２には取付片５８が設けられ（図５参照）、この取付片５８を貫通するビス６０（図７参照）により下箱部１８の底壁１９に取付けられている。突起部６８が側面６６の内側に複数個立設されている。
【００１７】
このような構造の制御基板ボックス１４に主制御基板１を収容するには、まず図７に示す通り、主制御基板１を下箱部１８に入れ、主制御基板１の四隅に設けられているビス孔６５にビス７０を貫通させる。これらのビス７０はステンレス板４７の爪４９を貫通してビス受５１に達し、そこでビス７０をビス受５１に螺合させる。これで主制御基板１が下箱部１８に固定されたことになる。このとき、導電性フィルム６２は、ステンレス板４７を介して主制御基板１のコ−ナ−電極１２と接続状態となる。透明の導電性フィルム６２を下箱部１８の底壁１９に貼っているので、導電性フィルム６２が電磁波を吸収し、制御基板ボックス１４のシールド性が確保される。また、パチンコ機７０１の本体に対面する下箱部１８の底壁１９に導電性フィルム６２を貼っているので、パチンコ機の通路を移動する遊技球によって発生する静電気により制御基板ボックス１４が帯電するのを効率よく防止できる。
【００１８】
次に、コネクタ通過孔２０a〜２０ｈにコネクタ１０a〜１０ｈを貫通させて、上箱部１６を下箱部１８に被せる。そして、それぞれビス通２２とビス受２８とを整合させ、３組のビス通連設部２３とビス受連設部２９とを特殊ビス８０でそれぞれ螺着する。上箱部１６と下箱部１８との接合は、こうして行うが、一旦、特殊ビス８０を螺着させると、その特殊ビス８０を螺着させた螺合部分を全て破壊しないと、上箱部１６と下箱部１８とを分離することができない構造となっている。従って、接合後に分離する場合には、全ての螺合部分に対し特殊ビス８０を螺着させるのではなく、各連結装置５３（図８参照）の少なくとも１箇所に特殊ビス８０を螺着させて行う。よって、その螺合部分だけを破壊するのみで足りる。なお、この特殊ビス８０の頭部は、締め付け方向にはドライバが効くがゆるみ方向には効かない構造である。従って、破壊の痕跡の有無により、制御基板ボックス１４が開放されたか否かを判別できるようになっている。
また、制御基板ボックス１４が閉鎖された際には、前述の通り、移動規制部３０とＲＯＭ３とが対峙するので、主制御基板１からＲＯＭ３が離脱することが規制される。さらに、主制御基板１と外部との入出力は、コネクタ１０a〜１０ｈに連結されたケ−ブル類（図示略）を介して行われる。さらに、この制御基板ボックス１４では、コネクタ１０a〜１０ｈだけを外部に露出し、配線パターンは全く露出されない。従って、配線パターンの一部を変更したり、一部の部品を交換或いは追加するような、不正な改変を確実に防止できる。コネクタガイド（図示略）を介装させれば一層改変が困難になる。
【００１９】
（第１実施形態の効果）
（Ａ）移動規制部３０がＲＯＭ３と対峙し、その底面（水平壁３２）が近接しているので、ＲＯＭ３を他のＲＯＭに交換する不正を防止できる。
（Ｂ）移動規制部３０とＲＯＭ３との間に空隙３７を有しているので、ＲＯＭ３の表面から生ずる熱を放熱拡散させることができる。
（Ｃ）不正防止の観点から、連結装置５３の螺合部分を破壊しないと主制御基板１を取り外せないとする点には大きなメリットがあるが、故障や検査等で制御基板ボックス１４を分解したい場合も生じる。そこで、連結装置５３の少なくとも１箇所に特殊ビス８０を螺着することにより、主制御基板１を十分に収容できるようにし、連結装置５３の螺合部分の破壊は必ず伴うが、主制御基板１の着脱が比較的容易に実施できる。従って、従来と異なり、不正防止と経済性とを両立させることが可能となる。
【００２０】
[第２実施形態]
（第２実施形態の構成）
第２実施形態の制御基板ボックス２１４は、第１実施形態の制御基板ボックス１４とは、移動規制部の形状が相違するものである。すなわち、図９に示す通り、移動規制部２３０が、その先端において、側壁２３１のうち対向する２面の下端が延設されて突起部２３６が形成されている。これにより、ＲＯＭ２０３の離脱防止を強化することができる。また、側壁２３１の下端部周囲の全部を突起状に延設させるようにしてもよい。なお、構成部品の番号は、第１実施形態のものに２００番台を付加した番号とし、対応づけを行い、その説明は前述を準用する。
【００２１】
（第２実施形態の効果）
第１実施形態の効果（Ａ）〜（Ｃ）がある上、次の効果も生じる。
（Ｄ）図９（ｂ）に示す通り、移動規制部２３０が、その先端において、側壁２３１のうち対向する２面の下端に突起部２３６が延設されているので、その突起部２３６によりＲＯＭ２０３の側方側をほぼ遮断する形態に形成され、ＲＯＭ２０３の離脱方向が側方であってもその移動を阻止することができる。つまり、ＲＯＭ２０３を側方へ傾けながら脱着することを防止できる。
【００２２】
[第３実施形態]
（第３実施形態の構成）
第３実施形態は、第１実施形態のＲＯＭ３を一体型電子部品に変更したものである。すなわち、ここでいう一体型電子部品３０８は、図１０に示す通り、ＣＰＵとＲＯＭとを備えた一体型電子部品（いわゆるワンチップマイコン）であることを特徴とするものである。これに伴い、移動規制部３３０の位置が若干変更されている。他の構成は全く同様である。なお、構成部品の番号は、第１実施形態のものに３００番台を付加した番号とし、対応づけを行い、その説明は前述を準用する。
【００２３】
（第３実施形態の効果）
第１実施形態の効果（Ａ）〜（Ｃ）がある上、次の効果も生じる。
（Ｅ）一体型電子部品３０８自体は、その偽造・改造の手間や費用をかなり要するので、より一層確実に不正を防止でき、よって、パチンコ機７０１の不正操作もされにくくなる。
【００２４】
[第４実施形態]
（第４実施形態の構成）
上記第２実施形態のＲＯＭ２０３を一体型電子部品に変更した点が相違するものである。すなわち、ここでいう一体型電子部品は、ＣＰＵとＲＯＭとを備えた一体型電子部品４０８（３０８と同様のもの）であることを特徴とするものである。これに伴い、移動規制部４３０の位置が若干変更されている。他の構成は全く同様である。なお、図９等において、構成部品の番号に２００番を付加した番号で読み替えて準用する。
【００２５】
（第４実施形態の効果）
第１実施形態の効果（Ａ）〜（Ｃ）、第２実施形態の効果（Ｄ）がある上、次の効果も生じる。
（Ｅ）一体型電子部品４０８自体は、その偽造・改造の手間や費用をかなり要するので、より一層確実に不正を防止でき、よって、パチンコ機７０１の不正操作もされにくくなる。
【００２６】
[第５実施形態]
（第５実施形態の構成）
この第５実施形態の移動規制部５３０は、図１１（ａ）に示す通り、本体部５３８に対し着脱自在な先端部５３９を備え、かつ、電子部品５０３又は一体型電子部品５０８の周縁の少なくとも一部と対設するべく、先端部５３９の側壁５３１のうち対向した２面の下端に突設部５３６が形成されている。
この場合、主制御基板５０１に装着された電子部品５０３又は一体型電子部品５０８を平面視したときに、電子部品５０３又は一体型電子部品５０８は略長方形状を呈しているが、側壁５３１のうち対向した２面が突設した先端部５３９は、２辺の長辺側で、電子部品５０３又は一体型電子部品５０８を介して対設している。
なお、先端部５３９の側壁５３１のすべての面を突設させて、電子部品５０３又は一体型電子部品５０８を取り囲むように形成してもよいし、２辺の短辺側で、電子部品５０３又は一体型電子部品５０８を介して対設するようにしてもよい。
先端部５３９の着脱の方法としては、本体部５３８に掛止溝５４５（スリット孔等でもよい）を形成し、かつ、先端部５３９の根元側に鉤状部５４６を形成し、その鉤状部５４６をその掛止溝５４５に嵌合させることにより、先端部５３９を本体部５３８に固着させる。かかる場合、バネ作用を利用して強固に密着させる。また、先端部５３９を本体部５３８に圧入して固着させてもよい。
なお、上記着脱態様では本体部５３８と先端部５３９とを掛止又は圧入による嵌合で密着させて固着させるわけであるが、本体部５３８と先端部５３９とを結合させているのではないので、何らかの力が作用して先端部５３９が本体部５３８から抜ける場合もないとは言えない。そこで、図１１（ｂ）に示す通り、本体部５３８と先端部５３９とをビス、ボルト等の固着部材５４０で本体部５３８の外周に配設したボス５４１に連結させることにより、強固に固着させるようにしてもよい。なお、他の構成は第１実施形態や第２実施形態と同様であるから、説明は準用する。
【００２７】
（第５実施形態の効果）
第１実施形態〜第４実施形態の効果（Ａ）〜（Ｅ）がある上、次の効果も生じる。
（Ｆ）移動規制部５３０の先端部５３９が、電子部品５０３又は一体型電子部品５０８を介して対設されているので、電子部品５０３又は一体型電子部品５０８を他の電子部品に交換する不正を防止できる。
（Ｇ）移動規制部５３０の先端部５３９が本体部５３８に着脱自在に形成されているので、電子部品５０３又は一体型電子部品５０８以外の形状の異なった電子部品に対しても、先端部５３９の形状を当該電子部品の形状に応じたものに変更するだけで済み、上箱部５１６自体の製造型を新たに製作する必要がなく、経済性が高くなる。
【００２８】
[第６実施形態]
（第６実施形態の構成）
第６実施形態の制御基板ボックス６１４は、図１２、図１３に示す通り、上箱部６１６とは別体とされ、下箱部６１８に着脱自在の移動規制部としての移動規制部材６３０を備えたものであり、主制御基板６０１とともに収容して上箱部６１６と下箱部６１８とを接合した場合において、この移動規制部材６３０は下箱部６１８と主制御基板６０１の表面とにより支持され、かつ、制御基板ボックス６１４の長手側を側面視した場合に、移動規制部材６３０が左右方向へ位置変更可能に形成されている。
具体的には、移動規制部材６３０には、支持部６４２と、規制部６４３とが設けられている。支持部６４２は、帯状の板状体であって、一方の長辺側に所定間隔を開けてスリット６４４が１８個形成されている。各スリット６４４の幅及び奥行き、形成位置は、下箱部６１８の底壁６１９に形成された６本の突起部６６８の幅及び高さに対応し嵌合可能に形成されている。
一方、図１４に示す通り、規制部６４３は、互いに平行な一対の側壁部６４３ａと、互いに平行な一対の結合部６４３ｂと、互いに平行な連結部６４３ｃとからなっている。
一対の側壁部６４３ａは、電子部品６０３又は一体型電子部品６０８を介してその２辺の長辺側で対設され、制御基板６０１の表面と接する側である下端は略尖状に形成されている。
一対の結合部６４３ｂは、上記一対の側壁部６４３ａをその前後方向で直交状に連結するものであって、その最下端は主制御基板６０１に装着された電子部品６０３又は一体型電子部品６０８の頂面の主制御基板６０１表面からの高さより上空に位置するべく形成されている。結合部６４３ｂとの連結を補強するため、側壁部６４３ａの上部は突状（山形）に形成されている。なお、この最下端を電子部品６０３又は一体型電子部品６０８の頂面と接するように形成してもよい。
連結部６４３ｃは、上記一対の側壁部６４３ａのうちの一方の側壁部６４３ａの外側と支持部６４２の他方の長辺側間（スリット６４４が形成されていない側）を結合するものであり、バランスを考慮して適切な間隔を開けて、２点で上記一対の側壁部６４３ａ及び結合部６４３ｂを支持するものである。
なお、移動規制部材６３０の位置変更について、下箱部６１８の底壁６１９に形成した突起部６６８（図１３（ａ）参照）、及び、支持部６４２に形成したスリット６４４を多数適切に配設することにより、位置変更をより多段階で実施することが可能となる。
【００２９】
（第６実施形態の効果）
第１実施形態の効果（Ｃ）、第３実施形態の効果（Ｅ）がある上、次の効果も生じる。
（Ｈ）移動規制部材６３０の支持部６４２に形成したスリット６４４を、下箱部６１８に形成した突起部６６８のいずれに嵌合するかにより、側面視した場合に、移動規制部材６３０を左右方向へ位置変更させることが可能となる（図１３（ａ）参照）。すなわち、主制御基板６０１に搭載される電子部品６０３又は一体型電子部品６０８の位置が変わっても対応することが可能となる。
なお、支持部６４２の長さを短くすることにより、その左右方向へ位置変更幅を大きくすることができる。すなわち、電子部品６０３又は一体型電子部品６０８の位置変更に対し、より機動的に対応することができる。
（Ｉ）移動規制部材６３０の一対の側壁部６４３ａが、電子部品６０３又は一体型電子部品６０８を介して対設されているので、電子部品６０３又は一体型電子部品６０８を他の電子部品に交換する不正を防止できる。
（Ｊ）移動規制部材６３０が着脱自在に形成されているので、電子部品６０３又は一体型電子部品６０８以外の形状の異なった電子部品に対しても、一対の側壁部６４３ａ及び結合部６４３ｂの形状を当該電子部品の形状に応じたものに変更するだけで済み、制御基板ボックス６１４自体の製造型を新たに製作する必要がなく、経済性が高くなる。
【００３０】
以上述べた様々な実施形態の制御基板ボックスは、パチンコ機７０１に装着されてその機能を発揮する。以下に、パチンコ機７０１について図１６〜図１９を参照して説明する。
（パチンコ機７０１の表面構造）
図１６に示すパチンコ機７０１の表面構造を説明すると、裏面側からガラス板が嵌められた前面枠７０２が中枠７０３に開閉可能に軸着され施錠装置７０５により開閉可能となっており、また、この中枠７０３が本体枠７０４に開閉可能に軸着されている。
中枠７０３の下方には、上皿７０６及び下皿７０７が配置されている。上皿７０６及び下皿７０７には、それぞれに、パチンコ機７０１の内部から遊技球を排出するための排出口７０６ａ，７０７ａがそれぞれ開口している。上皿７０６には、複数の長孔からなるスピーカ面７０８が設けられており、その裏側には、遊技状態に応じた効果音を発生するスピーカ７０９が装着されている。下皿７０７には、上皿７０６から供給される遊技球を遊技領域７２５（図１７参照）に発射するための発射装置ユニット８１７（図１８参照）を操作する発射ハンドル７１１が設けられている。この発射ハンドル７１１には、遊技者がタッチしていることを検出するタッチスイッチ７１１ａが装着され、発射ハンドル７１１の近傍には、発射停止を一時的に指令する発射停止スイッチ７１１ｂが設けられている。
前面枠７０２の上部には、枠飾りランプ７１２，７１３，７１４，７１５が設けられ、これらに対応して、枠飾りランプ基板７１６が設置されている。それらの左側上方には、賞球表示ＬＥＤ７１７及び賞球表示ＬＥＤ基板７１８が、右側上方には、ストップ表示ＬＥＤ７１９及びストップ表示ＬＥＤ基板７２０が位置しており、これらは中枠７０３に装着されている。スピーカ面７０８の左方裏側には、音量スイッチ基板７２１が設けられている。さらにパチンコ機７０１の左側には、プリペイドカードユニット７２２が装着されている。
【００３１】
（遊技盤７２４の構造）
図１７に示す遊技盤７２４の構造を説明する。遊技盤７２４の遊技領域７２５の中央部には、大形の枠体でなるセンター役物７２６が設けられている。このセンター役物７２６は、上部中央に普通図柄表示装置７２７、その両側に左通過口７２８及び右通過口７２９、左右両側に左普通図柄作動ゲート７３０及び右普通図柄作動ゲート７３１が設けられている。センター役物７２６の開口部には、１０インチ画面の液晶表示盤７３２を含み構成された特別図柄表示装置７３３が設けられている。液晶表示盤７３２には、左図柄表示領域７３４、中図柄表示領域７３５、右図柄表示領域７３６が設定されている。センター役物７２６の左右下部両側には、左通過口出口７３７及び右通過口出口７３８が設けられている。
センター役物７２６の下方中央部には、条件装置として動作し、アタッカーとも呼ばれる大入賞装置７４０が設けられている。この大入賞装置７４０は、その上部中央に第１種始動口（普通電動役物）７４１、その下側に大入賞口開閉シャッタ７３９、特定領域開閉シャッタ７４２、特定領域７４３、特定領域外領域７４４及び大入賞口７４５を備えている。
特別遊技状態において、大入賞口開閉シャッタ７３９が開き、１個の入賞球が特定領域７４３に入ると、特定領域開閉シャッタ７４２が閉じ、その他の入賞球は特定領域外領域７４４に導かれる。大入賞口７４５への入球数が９個に達するか、或いは、大入賞口開閉シャッタ７３９の開放時間が約３０秒に達すると、大入賞口開閉シャッタ７３９が閉じるようになっている。その左右には、左下入賞口７４６及び右下入賞口７４７が設けられている。大入賞装置７４０の上部左右には、左入賞口７４８及び右入賞口７４９が設けられている。大入賞装置７４０の下側領域には、アウト口７５０、アウト口飾り７５１及びバック球防止部材７５２が設けられている。遊技領域７２５を区画形成する外レール７５３、内レール７５４、ファール球防止部材７５５及び返しゴム７５６が遊技盤７２４に設けられている。
【００３２】
（パチンコ機７０１の裏面構造）
パチンコ機７０１の裏面構造を図１８を参照して説明する。中枠７０３は本体枠７０４に一対のヒンジ８００により開閉自在に支持されている。遊技盤７２４が、中枠７０３に背面側から着脱自在に固定されている。中枠７０３には、一対のヒンジ８０１により機構盤８０２が着脱自在に固定されている。このヒンジ８０１の上部左側には、タンク球切れ検知スイッチ８０３を備えた賞球タンク８０４及びタンクレール８０５が備えられている。このタンクレール８０５の下流右端には、球抜きレバー８０６、その下流側には、補給球切れ検知スイッチ８０７、その下流側には、賞球払出装置８０８が設けられている。賞球払出装置８０８の下側には、振分け部８０９が設けられている。
タンクレール８０５の下側には、特別図柄表示装置７３３を格納した裏蓋８１０と、その裏蓋８１０の下側に主制御基板１を格納した前述した制御基板ボックス１４とが各々縦方向に設けられている。制御基板ボックス１４の左側には、発射装置制御基板８１３、タッチ感度調整つまみ８１４、球飛び強弱調整つまみ８１５、発射制御集合中継基板８１６が各々設けられている。
機構盤８０２の左下部側には、発射装置ユニット８１７が設けられている。機構盤８０２の右下部側には、枠状態表示器８１８を備えた枠制御基板８５０が設けられている。枠状態表示器８１８は、補給球詰まり、下受皿満タン、主電源電圧異常、発射停止、主基板通信異常、賞球モータ異常などを７セグメントＬＥＤ表示器を用いて表示するものである。機構盤８０２の右上端部には、ヒューズボックス８２０、電源スイッチ８２１、電源ターミナル基板８２２及び大当り、発射装置制御、球切れ、扉開放、賞球、球貸し用等の遊技機枠用外部接続端子を備えた中継基板８２３が設けられている。機構盤８０２の中央下端部には、下皿用球通路部材８２６が設けられている。
【００３３】
（電子制御装置８３０の構成）
図１９に示す本実施形態のパチンコ機７０１の電子制御装置８３０を説明する。電子制御装置８３０は、各種センサの信号を中継する中継基板８２３、この中継基板８２３等と接続され遊技を司る、制御基板ボックス１４に収容された主制御基板１、枠の制御を司り主制御基板１と一方向通信を行う枠制御基板８５０及び主制御基板１と一方向通信を行う特別図柄制御基板８６０を含み構成されている。
主制御基板１は、８ビットの処理容量を備え、ＣＰＵ２、ＲＡＭ４、ＲＯＭ３、パラレルインタフェースＩＣ８７４ａ等がバス８４５により相互に接続されたものであり、パチンコ機７０１の遊技を司っているものである。
中継基板８２３を介して、タッチスイッチ７１１ａ、発射停止スイッチ７１１ｂ、右普通図柄作動ゲート通過検知スイッチ７８０、左普通図柄作動ゲート通過検知スイッチ７８１、カウント検知スイッチ７８６、カウント検知及び特定領域通過検知スイッチ７８７、ヴォリュームスイッチ７９３、タンク球切れ検知スイッチ８０３、補給球切れ検知スイッチ８０７等からの信号が主制御基板１に入力される。第１種始動口（普通電動役物）入賞検知スイッチ７８３、入賞球検知スイッチ７９２は直接、主制御基板１に入力される。
枠制御基板８５０は、８ビットの処理容量（４ビット等でもよい）を備えた論理演算回路を含み構成されたワンチップマイコンを有し、その入力端子がパラレルインタフェースＩＣ８７４ａと接続されている。
主制御基板１からのコマンド信号は、枠制御基板８５０を介して、枠飾りランプ基板７１６、表示枠左上ランプ基板７６１、表示枠右上ランプ基板７６３、賞球表示ＬＥＤ基板７１８、ストップ表示ＬＥＤ基板７２０、表示枠左ＬＥＤ基板７６５、表示枠右ＬＥＤ基板７６７、左下入賞口ＬＥＤ基板７６９、右下入賞口ＬＥＤ基板７７１、左入賞口ＬＥＤ基板７７３、右入賞口ＬＥＤ基板７７５、音量スイッチ基板７２１、普通図柄表示装置基板７５９、第１種始動口（普通電動役物）ソレノイド７８２、大入賞口ソレノイド７８４、特定領域開閉ソレノイド７８５、入賞球排出ソレノイド７９０、サウンドジェネレータ７９４、賞球払出装置８０８、発射装置制御基板８１３等へ送信される。
なお、図１９中左側に示すタッチスイッチ７１１ａ（最上段）から発射装置制御基板８１３（最下段）までの各種の機器は、適宜、中継基板８２３を経て或いは直接に枠制御基板８５０、主制御基板１、電源ターミナル基板８２２等に接続されている。図１９では、図面が煩雑になることを避けるために信号伝送経路が適宜省略されており、検出機器類は中継基板８２３に接続された状態で表記され、被駆動機器は枠制御基板８５０に接続された状態で表記されている。さらに、各種制御部及び各種基板間の接続関係についても適宜省略されている。
【００３４】
以上の通り構成された主制御基板１は、第１種始動口（普通電動役物）入賞検知スイッチ７８３、カウント検知スイッチ７８６、カウント検知及び特定領域通過検知スイッチ７８７等の検知結果に基づいて、当否判定などの遊技状態を判断し、特別図柄表示装置７３３に表示すべき特別図柄や背景などの指示を特別図柄制御基板８６０へ逐一送信する。
一方、主制御基板１から枠制御基板８５０へは、特別図柄の変動・停止態様、リーチ発生の有無、リーチ態様（種別、全回転、コマ送り、逆進、図柄の拡大・縮小など)、特別遊技及び遊技モード(確率変動、時短など)等の遊技態様に応じて各種信号が出力される。これにより、枠飾りランプ基板７１６等の各種ランプやサウンドジェネレータ７９４等は、枠制御基板８５０により制御されることとなる。
【００３５】
以上、本実施形態を説明したが、本発明の技術的思想を逸脱しない範囲において本発明の構成を適宜改変できることは当然であり、このような改変も、本発明の技術的範囲に属するものである。例えば、本発明は、いわゆる権利物、羽根物、アレンジボールと呼ばれている機種、一般電役などの種々の弾球遊技機に適用が可能である。
【００３６】
【発明の効果】
請求項１〜３記載の発明によれば、遊技機の検査の効率化、容易化が達成でき、不正防止も可能となる。
【図面の簡単な説明】
【図１】本発明の第１実施形態のＲＯＭ等の電子部品を搭載した主制御基板を示す斜視図である。
【図２】第１実施形態の制御基板ボックスの上箱部を示す斜視図である。
【図３】同上箱部を示す平面図である。
【図４】（ａ）は同制御基板ボックスについて移動規制部とＲＯＭとが対峙して配置されている部分を示す縦断面図、（ｂ）は同部分の拡大断面図である。
【図５】同制御基板ボックスの下箱部を示す斜視図である。
【図６】（ａ）は同下箱部を示す一部縦断面図、（ｂ）は同部分の拡大断面図、（ｃ）は同下箱部のビス受付近を示す一部縦断面図である。
【図７】同制御基板ボックス内に主制御基板を収容した場合を示す分解斜視図である。
【図８】同制御基板ボックス内に主制御基板を収容した場合を示す斜視図である。
【図９】（ａ）は第２実施形態の制御基板ボックスについて移動規制部とＲＯＭとが対峙して配置されている部分を示す縦断面図、（ｂ）は同部分の拡大断面図である。
【図１０】第３実施形態の制御基板ボックス内に主制御基板を収容した場合を示す分解斜視図である。
【図１１】（ａ）は第５実施形態の制御基板ボックスについて移動規制部と電子部品（一体型電子部品）とが対峙して配置されている部分を示す縦断面図、（ｂ）は同部分の拡大断面図である。
【図１２】第６実施形態の制御基板ボックス内に主制御基板を収容した場合を示す斜視図である。
【図１３】（ａ）は図１２のＸ−Ｘ線に沿って制御基板ボックスを切断し分解した分解縦断面図、（ｂ）は図１２のＸ−Ｘ線に沿って制御基板ボックスを切断した縦断面図である。
【図１４】図１３（ｂ）のＹ部分を示す部分拡大斜視図である。
【図１５】第６実施形態の制御基板ボックス内に主制御基板を収容した場合を示す分解斜視図である。
【図１６】第１実施形態〜第６実施形態の制御基板ボックスが搭載されるパチンコ機を示す正面図である。
【図１７】同パチンコ機の遊技盤を示す正面図である。
【図１８】同制御基板ボックスが装着されたパチンコ機を示す裏面図である。
【図１９】同パチンコ機の電子制御装置を示すブロック図である。
【符号の説明】
１、６０１    主制御基板
２  ＣＰＵ
３、２０３    ＲＯＭ
４  ＲＡＭ
１４、２１４、６１４    制御基板ボックス
３０、２３０、３３０、５３０    移動規制部
３０８、４０８、５０８    一体型電子部品
５０３  電子部品
６３０  移動規制部材
【図１】
0004203631.tif 000002
【図２】
0004203631.tif 000003
【図３】
0004203631.tif 000004
【図４】
0004203631.tif 000005
【図５】
0004203631.tif 000006
【図６】
0004203631.tif 000007
【図７】
0004203631.tif 000008
【図８】
0004203631.tif 000009
【図９】
0004203631.tif 000010
【図１０】
0004203631.tif 000011
【図１１】
0004203631.tif 000012
【図１２】
0004203631.tif 000013
【図１３】
0004203631.tif 000014
【図１４】
0004203631.tif 000015
【図１５】
0004203631.tif 000016
【図１６】
0004203631.tif 000017
【図１７】
0004203631.tif 000018
【図１８】
0004203631.tif 000019
【図１９】
0004203631.tif 000020